(57)【要約】【課題】無線ＬＡＮステーションにおいて、接続すべきアクセスポイントを認識し、かつ、キーボードなどの入力手段を使わずにＥＳＳ−ＩＤ設定を行えるようにすること。【解決手段】無線ＬＡＮステーション１とアクセスポイント２とは無線リンクを介して通信可能に接続されており、所定の演算によってアクセスポイント２に設定されたＥＳＳ−ＩＤを受信し、その後、受信したＥＳＳ−ＩＤに対し、上記所定の演算に対応する演算を行い、その演算結果が所定の判断基準を満たす場合に、アクセスポイント２より受信した上記ネットワークＩＤを自身のネットワークＩＤとして設定する。【選択図】  図１
2004235735.tif 000002
【特許請求の範囲】
【請求項１】
無線通信システムにおけるネットワークＩＤの設定方法において、
基地局は、
所定の情報に対して第１の演算を行って求めた情報を、当該基地局が使用するネットワークＩＤとして設定し、
通信装置は、
前記基地局から送信されたネットワークＩＤを識別し、
該識別されたネットワークＩＤに対して第２の演算を実行し、該演算による演算結果が所定の値になったか否かに応じて、前記識別したネットワークＩＤを、当該通信装置が使用するネットワークＩＤとして設定することを特徴とするネットワークＩＤの設定方法。
【発明の詳細な説明】
【０００１】
【発明の属する技術分野】
本発明は、基地局に設定されたネットワークＩＤを通信装置に設定するための技術に関する。
【０００２】
【従来の技術】
複数台のコンピュータからなるシステムにおいて、情報共有やプリンタ等情報処理機器の有効活用のためにＬＡＮを構築することが一般的になっている。とりわけ近年は無線ＬＡＮが利用されるようになってきている。ＬＡＮケーブルの敷設が不要であることや、ノート型ＰＣなどの可搬型情報処理機器の利便性を鑑みると、無線ＬＡＮの利用は今後さらに拡大するものと考えられる。
【０００３】
無線ＬＡＮを構築するには、各装置に、所定の設定を施す必要がある。一例として、ＩＥＥＥ８０２．１１準拠の無線ＬＡＮにおいて、インフラストラクチャモードで通信を行う場合を考える。ＩＥＥＥ８０２．１１準拠の無線ＬＡＮにおいては、ＥＳＳ−ＩＤ（Ｅｘｔｅｎｄｅｄ  Ｓｅｒｖｉｃｅ  Ｓｅｔ  ＩＤ）とよばれるネットワークＩＤに基づいて通信グループを設定する。ＥＳＳ−ＩＤは数文字の任意のアルファベットや数字を入力とする所定の演算により生成される。そして、無線ＬＡＮステーションはアクセスポイントと同じＥＳＳ−ＩＤを設定しないと通信できないようになっている。
【０００４】
現在の無線ＬＡＮステーションは一般にはコンピュータであるため、上記の設定は自コンピュータのキーボード操作で行うことができる。また、Ｍｉｃｒｏｓｏｆｔ社のＷｉｎｄｏｗｓ（登録商標）ＸＰにおいては、無線ＬＡＮの設定画面において、通信可能なアクセスポイントのＥＳＳ−ＩＤ一覧が表示される。利用者は、ＥＳＳ−ＩＤ一覧の中から選択することで、当該アクセスポイントと通信可能になる。
【０００５】
【発明が解決しようとする課題】
上記の表示されたＥＳＳ−ＩＤ一覧においてＥＳＳ−ＩＤが複数表示されている場合、利用者は、この表示だけではどれが接続相手かを知ることはできない。すなわち、利用者は別の手段で接続すべきアクセスポイントのＥＳＳ−ＩＤを知る必要がある。
【０００６】
またディジタルカメラやプリンタ等のＰＣ周辺機器には、一般にキーボード等の入力手段は備わっていない。これらの周辺機器をステーションにする場合、ＥＳＳ−ＩＤの設定が困難であった。この対策として、キーボードなどの入力手段を追加する必要があり、コストが余分にかかることになる。
【０００７】
現在、一部の無線ＬＡＮシステムにおいては、工場製造時に上記設定を行い、そのまま運用しているものもある。これによればＥＳＳ−ＩＤ設定の手間が省け、また入力手段を追加する必要もない。しかし、複数の独立した同無線ＬＡＮシステムが接近して配置された場合に問題が生じる。なぜなら、上記ＥＳＳ−ＩＤが一致しているため、それらの独立した無線ＬＡＮシステムが、同一のネットワークに属すると判断されてしまうからである。このような混信を回避する手段が同無線ＬＡＮシステムには備わっていない。
【０００８】
本発明は上述の課題に鑑みてなされたものである。その目的とするところは、無線ＬＡＮステーションにおいて、接続すべきアクセスポイントを認識し、かつ、キーボードなどの入力手段を使わずにネットワークＩＤ設定を行えるようにすることである。これにより、無線ＬＡＮステーションが自動でネットワークに接続することができるようにする。
【０００９】
また、本発明の他の目的は、独立した無線ＬＡＮシステム間で混信を回避することである。
【００１０】
【課題を解決するための手段】
本発明の一側面によれば、無線通信システムにおけるネットワークＩＤの設定方法において、基地局は、所定の情報に対して第１の演算を行って求めた情報を、当該基地局が使用するネットワークＩＤとして設定し、通信装置は、前記基地局から送信されたネットワークＩＤを識別し、該識別されたネットワークＩＤに対して第２の演算を実行し、該演算による演算結果が所定の値になったか否かに応じて、前記識別したネットワークＩＤを、当該通信装置が使用するネットワークＩＤとして設定することを特徴とするネットワークＩＤの設定方法が提供される。
【００１１】
【発明の実施の形態】
以下、図面を参照して本発明の好適な実施形態について詳細に説明する。
【００１２】
（実施形態１）
図１は、第１の実施形態における無線通信システムの構成を示す図である。
【００１３】
この無線通信システムはＩＥＥＥ８０２．１１に準拠しており、インフラストラクチャモードで通信が行われる。ここで、インフラストラクチャモードとは、通信端末の親機を中継して通信を行うモードのことである。同図において、１は、通信装置としての無線ＬＡＮステーション（以下、単に「ステーション」ともいう。）、２は無線ＬＡＮと有線ＬＡＮとの中継を行う無線基地局（いわゆるアクセスポイント）である。ステーション１とアクセスポイント２とは無線リンクを介して通信が可能であり、アクセスポイント２はステーション１の親局として機能する。
【００１４】
図２は、無線ＬＡＮステーション１の内部構成を示す図である。
【００１５】
データ受信時、無線信号はアンテナ部１０１より取り込まれ、高周波処理部１０２においてベースバンド信号へと変換される。変換されたベースバンド信号は、ベースバンド処理部１０３でディジタルデータに変換される。変換されたディジタル信号は、媒体アクセス制御部１０４において、所定のデータフォーマットに変換され、制御部１０５へと送られる。
【００１６】
データ送信時は、これとは逆にデータが流れる。制御部１０５は、媒体アクセス制御部１０４からのデータをメモリ１０６に保持するか、またはインターフェース１０７を介してこれと接続されている図示しない装置またはユニットに送る。制御部１０５はまた、インターフェース１０７に接続されている装置またはユニットからのデータを、メモリ１０６に保持するか、または媒体アクセス制御部１０４に送る。制御部１０５はまた、メモリ１０６に保持されているデータを、媒体アクセス制御部１０４に送るか、またはインターフェース１０７を介して、これと接続されている装置またはユニットに送る。
【００１７】
図３は、アクセスポイント２の内部構成を示す図である。
【００１８】
データ受信時、無線信号はアンテナ部２０１より取り込まれ、高周波処理部２０２においてベースバンド信号へと変換される。変換されたベースバンド信号は、ベースバンド処理部２０３でディジタルデータに変換される。変換されたディジタル信号は、媒体アクセス制御部２０４において、所定のデータフォーマットに変換され、制御部２０５へと送られる。
【００１９】
データ送信時は、これとは逆にデータが流れる。制御部２０５は、媒体アクセス制御部２０４からのデータを、メモリ２０６に保持するか、または有線ＬＡＮ通信部２０７を介してこれと接続されている図示しない装置またはユニットに送る。制御部２０５はまた、有線ＬＡＮ通信部２０７に接続されている装置またはユニットからのデータを、メモリ２０６に保持するか、または媒体アクセス制御部２０４に送る。制御部２０５はまた、メモリ２０６に保持されているデータを、媒体アクセス制御部２０４に送るか、または有線ＬＡＮ通信部２０７を介して、これと接続されている装置またはユニットに送る。
【００２０】
２０８は、アクセスポイント内の各部の状態を表したり、データを表示したりする表示部である。また、２０９は、アクセスポイントの設定を行うための入力部である。
【００２１】
アクセスポイント２において、ネットワークＩＤとしてのＥＳＳ−ＩＤは次のように生成される（図４）。
【００２２】
（１）キーボードより、ＡＳＣＩＩコード文字列を入力する（例：“ＴＥＳＴ”）。以降は制御部２０５で実行される。
【００２３】
（２）入力された文字列に対して、ＡＳＣＩＩコードで２進表現する。ＡＳＣＩＩコード表は例えば、「改訂第３版  Ｃ言語入門」（株式会社アスキー、ＩＳＢＮ４−７５６１−０２７０−０、ｐｐ．７０）を参照。
【００２４】
（３）４ビット毎に、（７，４）ハミング符号を適用する。なお、（７，４）ハミング符号、情報記号、検査記号、シンドローム（後述）の詳細は、「情報・符号理論の基礎」（汐崎  陽、国民科学社、ｐｐ．６０−６４）を参照されたい。
【００２５】
（４）（７，４）ハミング符号で生成された検査記号に関して、奇数番目と４の倍数番目のものは、検査記号の前に‘０’を挿入し、それ以外のものは、検査記号の後に‘０’を挿入する。
【００２６】
（５）情報記号同士、検査記号同士を８ビットずつ、前から順にまとめる。
【００２７】
（６）（５）のデータをＡＳＣＩＩ記号で表現する。
【００２８】
これをＥＳＳ−ＩＤとして設定する。以上の手順は、メモリ２０６または、制御部２０５の内部メモリに保持されている。
【００２９】
ＥＳＳ−ＩＤは、媒体アクセス制御部２０４内のレジスタに設定される。データ送信時は、このＥＳＳ−ＩＤが、パケット中の所定のフィールドに挿入されている（図５）。アクセスポイント２は、図５に示すようなＥＳＳ−ＩＤを含むパケット構成のデータをステーション１に送信する。
【００３０】
ステーション１は、データ通信開始前に、上記図４の処理により生成された文字列であれば、かならず特定の値（本実施形態では“０”）が演算結果として得られる以下の手順を踏む（図６）。
【００３１】
（７）制御部１０５は、アクセスポイント２からのパケット中に含まれるＥＳＳ−ＩＤを取得し、メモリ１０６に保持する。以降は制御部１０５で実行される。
【００３２】
（８）取得したＥＳＳ−ＩＤをＡＳＣＩＩコードで２進表現する。
【００３３】
（９）４ビットずつまとめて番号を振り、１、３、２、４、．．．、４ｋ＋１、４ｋ＋３、４ｋ＋２、４ｋ＋４、．．．の順に並びかえる（ｋ＝０、１、．．．）。
【００３４】
（１０）４ビットずつまとめて番号を振り、８ｎ＋２、８ｎ＋６、８ｎ＋８番目からは先頭の０を、８ｎ＋４番目からは末尾の０を除く（ｎ＝０、１、．．．）。
【００３５】
（１１）（７、４）ハミング符号に対するシンドロームを求め、結果をメモリ１０６に保持する。
【００３６】
（１２）シンドロームが全て０であれば、これに対応するＥＳＳ−ＩＤ（（７）で取得・保持）を、ステーション１のＥＳＳ−ＩＤとして決定する。
【００３７】
（１３）決定したＥＳＳ−ＩＤを、媒体アクセス制御部１０４内のレジスタに設定する。
【００３８】
以上の手順は、メモリ１０６または、制御部１０５の内部メモリに保持されている。（８）〜（１２）のいずれか一つでも結果が正しくない場合は、（１３）は実行されずに、別のＥＳＳ−ＩＤを検索する。図７は、これらの検査手順を示すフローチャートである。
【００３９】
ステップＳ７０２は、上記（８）によるＥＳＳ−ＩＤのＡＳＣＩＩコードでの２進表現が可能か否かの判定ステップ、ステップＳ７０３は、２進表現結果のビット数が４の倍数になっているか否かの判定ステップ、ステップＳ７０４は、上記（１２）の処理に対応するステップで、シンドロームが全て０か否かを判定するステップ、である。以上の判断条件を全て満たした場合に、上記（１２）において、（７）で取得したＥＳＳ−ＩＤをステーション１のＥＳＳ−ＩＤに決定し（ステップＳ７０５）、（１３）を実行する。一方、上記の判断条件のうちいずかが満たされない場合には、別のＥＳＳ−ＩＤを検索する（ステップＳ７０６）。
【００４０】
ステーション１における手順（８）〜（１２）は、アクセスポイント２における手順（１）〜（６）に対応するものである。これにより、ステーション１は、一切のユーザ操作なしで、ＥＳＳ−ＩＤを設定することができる。
【００４１】
ここで、図８に示すような、複数のアクセスポイントが存在する場合を考える。ここで、アクセスポイントＡには、ＥＳＳ−ＩＤとして“Ｔ￥ＥｅＳ￥ＴＶ”が設定され、アクセスポイントＢには、ＥＳＳ−ＩＤとして“ａｂｃｄｅｆ”が設定されている。この場合、ステーション１が最初にアクセスポイントＢのＥＳＳ−ＩＤを検知しても、図７のルーチンで、ステップＳ７０４からステップＳ７０６に移る（図９に示すように、アクセスポイントＢに設定されているＥＳＳ−ＩＤ“ａｂｃｄｅｆ”では、シンドロームが全て０にはならないので、ステーション１のアクセスポイントに適さないと判断される。）ので、通信相手ではないアクセスポイントＢと、通信状態になることはない。よって、ＥＳＳ−ＩＤを設定する際に同じ演算を行うステーション、アクセスポイント以外とは通信しないので、他の無線ＬＡＮシステムとの混信を防止でき、さらに、ステーション側にキーボードなどの入力手段を持たなくとも簡単に目的とするアクセスポイントのＥＳＳ−ＩＤを設定することもできる。
【００４２】
（実施形態２）
図１０は、第２の実施形態における無線通信システムの構成を示す図である。
【００４３】
無線通信システムはＩＥＥＥ８０２．１１に準拠しており、インフラストラクチャモードで通信が行われる。１は無線ＬＡＮステーション、２は無線ＬＡＮアクセスポイント、３はコンピュータである。無線ＬＡＮアクセスポイント２とコンピュータ３とは有線ＬＡＮによって通信可能に接続されている。無線ＬＡＮステーション１および無線ＬＡＮアクセスポイント２の内部構成はそれぞれ、図２および図３に示したとおりである。
【００４４】
本実施形態におけるアクセスポイント２のＥＳＳ−ＩＤは次のように設定される。
【００４５】
（１）コンピュータ３のキーボードより、ＡＳＣＩＩコード文字列を入力する。
【００４６】
（２）コンピュータ３は、入力された文字列をＡＳＣＩＩコードで２進表現する。
【００４７】
（３）コンピュータ３は、４ビット毎に、（７，４）ハミング符号を適用する。
【００４８】
（４）コンピュータ３は、（７，４）ハミング符号で生成された検査記号に関して、奇数番目と４の倍数番目のものは、検査記号の前に‘０’を挿入し、それ以外のものは、検査記号の後に‘０’を挿入する。
【００４９】
（５）コンピュータ３は、情報記号同士、検査記号同士を８ビットずつ、前から順にまとめる。
【００５０】
（６）コンピュータ３は、（５）のデータをＡＳＣＩＩ記号で表現する。
【００５１】
以上の手順は、アクセスポイントではなくコンピュータ３によって行われる点が上述の実施形態１と相違する。
【００５２】
（７）コンピュータ３は、（６）の結果を有線ＬＡＮを介してアクセスポイント２に送信する。
【００５３】
（８）アクセスポイント２は、（７）でコンピュータ３より送信されてきたデータを、有線ＬＡＮ通信部２０７により受信する。
【００５４】
（９）アクセスポイント２は、（８）で受信したデータを、ＥＳＳ−ＩＤとして設定する。
【００５５】
ＥＳＳ−ＩＤは、媒体アクセス制御部２０４内のレジスタに設定される。データ送信時は、このＥＳＳ−ＩＤはパケット中の所定のフィールドに挿入される（図５を参照。）。
【００５６】
なお、本実施形態におけるステーション１の動作は、実施形態１と同様である。
【００５７】
以上により、ステーション１は、一切のユーザ操作なしで、ＥＳＳ−ＩＤを設定することができる。また、通信相手ではないアクセスポイントと通信状態になることもない。
【００５８】
以上説明した実施形態では、アクセスポイントにおけるＥＳＳ−ＩＤの設定手順は図４に示したようなものとして説明したが、これに限定されるものではない。ステーション１において対応するＥＳＳ−ＩＤの決定手順が構成できるかぎり、いかなる設定手順を用いてもよい。
【００５９】
上述の実施形態では、ＡＳＣＩＩコード文字列からＥＳＳ−ＩＤを生成したが、例えば、任意の桁の１０進数からＥＳＳ−ＩＤを生成する方法も考えられる。また、上述の実施形態では誤り訂正符号処理の１手法であるハミング符号を用いたが、別の符号を用いてもよいし、例えば指定された情報（例えば、ＡＳＣＩＩコード文字列）から得られるデータの並べ換え、指定された情報から得られるデータに対する特定の処理の繰り返し、指定された情報に対する暗号化処理といったデータ操作や、それらの組み合わせでも構わない。
【００６０】
（他の実施形態）
以上、本発明の実施形態を詳述したが、本発明は、例えばシステム、装置、方法、プログラムもしくは記憶媒体等としての実施態様をとることが可能である。また、本発明は、複数の機器から構成されるシステムに適用してもよいし、また、一つの機器からなる装置に適用してもよい。
【００６１】
なお、本発明は、前述した実施形態の機能を実現するソフトウェアのプログラムを、システムあるいは装置に直接あるいは遠隔から供給し、そのシステムあるいは装置のコンピュータがその供給されたプログラムコードを読み出して実行することによっても達成される場合を含む。その場合、プログラムの機能を有していれば、その形態はプログラムである必要はない。
【００６２】
従って、本発明の機能処理をコンピュータで実現するために、そのコンピュータにインストールされるプログラムコード自体も本発明を実現するものである。つまり、本発明の特許請求の範囲には、本発明の機能処理を実現するためのコンピュータプログラム自体も含まれる。
【００６３】
その場合、プログラムの機能を有していれば、オブジェクトコード、インタプリタにより実行されるプログラム、ＯＳに供給するスクリプトデータ等、プログラムの形態を問わない。
【００６４】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などがある。
【００６５】
その他、プログラムの供給方法としては、クライアントコンピュータのブラウザを用いてインターネットのホームページに接続し、そのホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００６６】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００６７】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００６８】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【００６９】
以下、本発明の実施態様の例を列挙する。
（実施態様１）  無線通信システムにおけるネットワークＩＤの設定方法において、
基地局は、
指定された情報に対して第１の演算を行って求められ情報を、当該基地局が使用するネットワークＩＤとして設定し、
通信装置は、
前記基地局から送信されたネットワークＩＤを識別し、
該識別されたネットワークＩＤに対して第２の演算を実行し、該演算による演算結果が所定の値になったか否かに応じて、前記識別したネットワークＩＤを、当該通信装置が使用するネットワークＩＤとして設定することを特徴とするネットワークＩＤの設定方法。
（実施態様２）  実施態様１において、
前記第１の演算は、前記基地局において実行されることを特徴とするネットワークＩＤの設定方法。
（実施態様３）  実施態様１において、
前記第１の演算は、ネットワークＩＤ生成機能を有する情報処理装置において実行され、
前記基地局は、前記情報処理装置が前記第１の演算を行って求めた情報を、当該基地局が使用するネットワークＩＤとして設定することを特徴とするネットワークＩＤの設定方法。
（実施態様４）  実施態様１において、
前記指定された情報は、文字列であり、前記第１の演算は、前記文字列を変換するための演算であることを特徴とするネットワークＩＤの設定方法。
（実施態様５）  実施態様１において、
前記第１の演算は、前記情報に対して所定の演算を行って求めた情報の所定の位置に所定の値を付加する処理、あるいは、前記情報から得られるデータを並び替える処理、あるいは、特定の処理の繰り返し処理、あるいは、前記情報に対する誤り訂正符号処理、あるいは、前記情報に対する暗号化処理、を含むことを特徴とするネットワークＩＤの設定方法。
（実施態様６）  実施態様１において、
前記第２の演算は、前記第１の演算により求められた情報であれば、演算結果が必ず前記所定の値になる演算であることを特徴とするネットワークＩＤの設定方法。
（実施態様７）  実施態様１において、
前記第１の演算は、ハミング符号化処理を含むことを特徴とするネットワークＩＤの設定方法。
（実施態様８）  無線通信システムにおいて、
基地局は、
指定された情報に対して第１の演算を行って求められ情報を、当該基地局が使用するネットワークＩＤとして設定する第１の設定手段を有し、
通信装置は、
前記基地局から送信されたネットワークＩＤを識別する識別手段と、
前記識別手段により識別されたネットワークＩＤに対して第２の演算を実行する演算手段と、
前記演算手段による演算結果が所定の値になったか否かに応じて、前記識別したネットワークＩＤを、当該通信装置が使用するネットワークＩＤとして設定する第２の設定手段と、
を有することを特徴とする無線通信システム。
（実施態様９）  無線リンクを介して基地局と通信を行う通信装置のネットワークＩＤ設定方法において、
前記基地局から送信されたネットワークＩＤを識別する識別工程と、
前記識別工程において識別されたネットワークＩＤに対して所定の演算を実行する演算工程と、
前記演算工程における演算結果が所定の値になったか否かに応じて、前記識別工程において識別されたネットワークＩＤを、前記通信装置が使用するネットワークＩＤとして設定する設定工程と、
を有することを特徴とする通信装置のネットワーク設定方法。
（実施態様１０）  実施態様９において、
前記演算工程における演算結果が所定の値でない場合は、他の基地局が送信するネットワークＩＤの識別を前記識別工程において実行することを特徴とする通信装置のネットワーク設定方法。
（実施態様１１）  実施態様９において、
前記所定の演算は、前記基地局が送信するネットワークＩＤが、第２の演算により求められた情報である場合には、前記所定の演算の結果が必ず前記所定の値になる演算であることを特徴とする通信装置にネットワークＩＤ設定方法。
（実施態様１２）  無線リンクを介して基地局と通信を行う通信装置において、
前記基地局から送信されたネットワークＩＤを識別する識別手段と、
前記識別手段により識別されたネットワークＩＤに対して所定の演算を実行する演算手段と、
前記演算手段による演算結果が所定の値になったか否かに応じて、前記識別手段により識別されたネットワークＩＤを、前記通信装置が使用するネットワークＩＤとして設定する設定手段と、
を有することを特徴とする通信装置。
（実施態様１３）  通信装置の基地局のネットワークＩＤ設定方法において、
指定された情報に対して第１の演算を行って求められる情報を、当該基地局が使用するネットワークＩＤとして設定する設定工程と、
前記設定工程において設定されたネットワークＩＤをパケットに含めて送信する送信工程と、
を有し、
前記第１の演算により求められた情報は、該情報に第２の演算を行うと必ず所定の値が求められることを特徴とする基地局のネットワークＩＤ設定方法。
（実施態様１４）  実施態様１３において、
前記第１の演算を行う演算手段を有し、
前記演算手段により前記第１の演算が実行されることを特徴とする基地局のネットワークＩＤ設定方法。
（実施態様１５）  実施態様１３において、
前記第１の演算は、ネットワークＩＤ生成機能を有する情報処理装置において実行され、
前記設定手段は、前記情報処理装置が前記第１の演算を行って求めた情報を、前記基地局が使用するネットワークＩＤとして設定することを特徴とする基地局のネットワークＩＤ設定方法。
（実施態様１６）  通信装置の基地局において、
指定された情報に対して第１の演算を行って求められ情報を、当該基地局が使用するネットワークＩＤとして設定する設定手段と、
前記設定手段により設定されたネットワークＩＤをパケットに含めて送信する送信手段と、
を有し、
前記第１の演算により求められた情報は、該情報に第２の演算を行うと必ず所定の値が求められることを特徴とする基地局。
【００７０】
【発明の効果】
本発明によれば、無線ＬＡＮステーションにおいて、接続すべきアクセスポイントを認識し、かつ、キーボードなどの入力手段を使わずにＥＳＳ−ＩＤ設定を行えるようにすることができる。
【図面の簡単な説明】
【図１】実施形態１における無線通信システムの構成を示す図である。
【図２】無線ＬＡＮステーションの内部構成を示す図である。
【図３】無線ＬＡＮアクセスポイントの内部構成を示す図である。
【図４】無線ＬＡＮアクセスポイントにおけるＥＳＳ−ＩＤの設定手順を説明する図である。
【図５】ＥＳＳ−ＩＤのフィールドを含むパケット構成の一例を示す図である。
【図６】無線ＬＡＮステーションにおけるＥＳＳ−ＩＤの決定手順を説明する図である。
【図７】無線ＬＡＮステーションにおける、受信したＥＳＳ−ＩＤの検査手順を示すフローチャートである。
【図８】複数のアクセスポイントが存在する場合を説明するための図である。
【図９】ＥＳＳ−ＩＤの決定手順において所望の演算結果が得られずＥＳＳ−ＩＤの決定に至らない例を示す図である。
【図１０】実施形態２における無線通信システムの構成を示す図である。
【図１】
2004235735.tif 000003
【図２】
2004235735.tif 000004
【図３】
2004235735.tif 000005
【図４】
2004235735.tif 000006
【図５】
2004235735.tif 000007
【図６】
2004235735.tif 000008
【図７】
2004235735.tif 000009
【図８】
2004235735.tif 000010
【図９】
2004235735.tif 000011
【図１０】
2004235735.tif 000012